(57)【要約】  方法は、モバイルデバイス管理（ＭＤＭ）サーバにおいて、ヘルスケア施設におけるロケーションを示すメッセージを受信することを含む。方法は、ＭＤＭサーバにおいて、ロケーションに割当てられたモバイルデバイスを識別することも含む。方法は、リモートリセットコマンドをＭＤＭサーバからモバイルデバイスに送信することをさらに含む。
2020519982.tif 000002
【特許請求の範囲】
【請求項１】
モバイルデバイス管理（ＭＤＭ）サーバにおいて、ヘルスケア施設におけるロケーションを示すメッセージを受信することと、
前記ＭＤＭサーバにおいて、前記ロケーションに割当てられたモバイルデバイスを識別することと、
前記ＭＤＭサーバから前記モバイルデバイスにリモートリセットコマンドを送信することと、
を備える方法。
【請求項２】
前記リモートリセットコマンドは、患者に関連付けられた個人識別情報、前記患者に関連付けられた保護健康情報、又は両方が前記モバイルデバイスから削除されることを示す、請求項１に記載の方法。
【請求項３】
前記リモートリセットコマンドは、ファクトリーリセットコマンドを含む、請求項１に記載の方法。
【請求項４】
プッシュ通知サービスから前記モバイルデバイスへのプッシュ通知の送信を開始するために、前記ＭＤＭサーバから前記プッシュ通知サービスへ通知要求を送信することと、
前記ＭＤＭサーバにおいて、前記プッシュ通知に応答する前記モバイルデバイスからのメッセージを受信することと、をさらに備え、
ここにおいて、前記リモートリセットコマンドは、前記メッセージの受信に応答して、前記ＭＤＭサーバから前記モバイルデバイスに送信される、請求項１に記載の方法。
【請求項５】
前記ロケーションは、病室、病院ベッド、又は両方を含む、請求項１に記載の方法。
【請求項６】
前記メッセージは、移動メッセージ又は退出メッセージを含み、前記リモートリセットコマンドは、患者に関連付けられた個人識別情報、前記患者に関連付けられた保護健康情報、又は両方が前記モバイルデバイスから削除されることを示す、請求項１に記載の方法。
【請求項７】
前記メッセージは、前記ロケーションに割当てられた患者が前記ヘルスケア施設から退出したことを示す退出メッセージを含む、請求項１に記載の方法。
【請求項８】
前記メッセージは、前記ロケーションに割当てられた患者が前記ロケーションから移動したことを示す移動メッセージを含む、請求項１に記載の方法。
【請求項９】
前記メッセージは、健康レベル７（ＨＬ７）フォーマットに準拠する、請求項１に記載の方法。
【請求項１０】
プロセッサにより実行される時、前記プロセッサに、
患者識別子を含むメッセージを受信することと、前記メッセージはヘルスケア施設におけるロケーションを示し、
前記ロケーションに割当てられたモバイルデバイスを識別することと、
前記患者識別子に関連付けられたデータの前記モバイルデバイスへの提供を開始することと、
を備える動作を行わせる命令を記憶するコンピュータ可読記憶装置。
【請求項１１】
前記データは、患者記録、医療情報、アプリケーションデータ、構成設定、又はそれらの組み合わせを含む、請求項１０に記載のコンピュータ可読記憶装置。
【請求項１２】
前記メッセージは、前記患者識別子に関連付けられた患者が前記ヘルスケア施設に入院したことを示す、請求項１０に記載のコンピュータ可読記憶装置。
【請求項１３】
前記動作は、
前記データの提供開始に続いて、前記ロケーションを示す第２メッセージを受信することと、
前記第２メッセージの受信に応答して、前記モバイルデバイスから前記患者識別子に関連付けられた前記データの削除を開始するために前記モバイルデバイスにリモートリセットコマンドを送信することと、
をさらに含む、請求項１０に記載のコンピュータ可読記憶装置。
【請求項１４】
前記第２メッセージは、患者が前記ヘルスケア施設から退出したこと、又は、前記ロケーションから移動したことを示す、請求項１３に記載のコンピュータ可読記憶装置。
【請求項１５】
ヘルスケアリスナデバイスであって、
ヘルスケア施設におけるロケーションを示す第１メッセージを受信し、
前記ロケーションを示す第２メッセージをモバイルデバイス管理（ＭＤＭ）サーバに送信するように構成されるヘルスケアリスナデバイスと、
前記ＭＤＭサーバであって、
前記ヘルスケアリスナデバイスからの前記第２メッセージの受信に応答して、
前記ロケーションに割当てられたモバイルデバイスを識別し、
前記モバイルデバイスにリモートリセットコマンドを送信するように構成される前記ＭＤＭサーバと、
を備えるコンピュータシステム。
【請求項１６】
前記ＭＤＭサーバは、前記ヘルスケアリスナデバイスから前記第２メッセージを受信することに応答して、
前記モバイルデバイスへのプッシュ通知の送信を開始するために、プッシュ通知サービスに通知要求を送信し、
前記プッシュ通知に応答して前記モバイルデバイスからメッセージを受信するようにさらに構成され、
ここにおいて、前記メッセージの受信に応答して、前記リモートリセットコマンドが送信される、請求項１５に記載のコンピュータシステム。
【請求項１７】
前記ＭＤＭサーバは、前記ヘルスケアリスナデバイスから前記第２メッセージを受信することに応答して、
前記モバイルデバイスへのプッシュ通知の送信を開始するために、プッシュ通知サービスに通知要求を送信し、
前記プッシュ通知サービスへ前記通知要求を送信してから特定の期間内に前記モバイルデバイスからメッセージが受信されなかったとの決定に応答して、アラートを生成するようにさらに構成される、請求項１５に記載のコンピュータシステム。
【請求項１８】
前記第１メッセージは、健康レベル７（ＨＬ７）フォーマットに準拠する、請求項１５に記載のコンピュータシステム。
【請求項１９】
前記リモートリセットコマンドは、患者に関連付けられた個人識別情報、前記患者に関連付けられた保護健康情報、又は両方が前記モバイルデバイスから削除されることを示す、請求項１５に記載のコンピュータシステム。
【請求項２０】
前記第１メッセージは、患者が前記ロケーションから移動したことを示す、請求項１５に記載のコンピュータシステム。
【発明の詳細な説明】
【関連出願への相互参照】
【０００１】
[0001]本出願は、２０１７年５月１２日に出願された共有の米国非仮特許出願第１５／５９４，２２６号に基づき優先権を主張し、その全内容が参照により本明細書に明示的に組み込まれる。
【技術分野】
【０００２】
[0002]本開示は、一般に、ヘルスケア施設におけるモバイルデバイス管理に関する。
【背景技術】
【０００３】
[0003]ヘルスケア施設による患者の経験を改善する方法が増加している。例えば、病院は、患者が個人用モバイルデバイスを介してアクセスできるウェブサイトを介して、テスト結果等の患者情報を提供することができる。個人用モバイルデバイスを有しない患者は、ウェブサイトを介して患者情報にアクセスできないかもしれない。患者の個人情報の機密性を保持することは、ヘルスケア施設にとって優先事項である。病院管理者（例えば、情報技術（ＩＴ）の専門家）が、同じモバイルデバイスを別の患者に提供する前に、患者に提供される各モバイルデバイスから機密情報を削除することは、時間と人件費がかかり、人的ミスの影響も受けやすい。病院管理者がモバイルデバイスを別の患者に提供する前に該モバイルデバイスから患者の機密情報を削除し損ねるという小さなリスクであっても、ヘルスケアの現場では避けられるべきである。
【発明の概要】
【０００４】
[0004]ヘルスケア施設においてモバイルデバイスを管理するシステム及び方法が開示される。モバイルデバイスは、ヘルスケア施設において、患者の使用のため利用可能である。モバイルデバイスは、ヘルスケア施設（病院、診療所、又は両方）の様々なロケーション（ｌｏｃａｔｉｏｎ）に割当てられる。例えば、モバイルデバイスを病院ベッド、病室、又は両方に割当ててもよい。例えば、モバイルデバイスは、ケーブルで病院ベッド又は病室の壁に取り付けることができる。ヘルスケアシステムは、ロケーションと割当てられたモバイルデバイスとのマッピングを維持する。例えば、ロケーション・デバイス間マッピングデータは、ロケーションのロケーション識別子（ＩＤ）と割当てられたモバイルデバイスのデバイスＩＤとのマッピングを示す。ユーザ（例えば、病院管理者）は、患者が病院に入院（ａｄｍｉｔｔｅｄ）したとき、又は患者が病院内の別のロケーションから移動したときに、患者に病院ベッドを割当ててもよい。例えば、ヘルスケアシステムにはヘルスケア管理システムが含まれる。ユーザは、ヘルスケア管理システムに、ロケーション（例えば、病院ベッド）が入院時に患者に割当てられたこと、又は患者がヘルスケア施設における別のロケーションからロケーションに移動したことを示すユーザ入力を提供する。あるいは、ユーザは、患者がロケーションに、もはや割当てられていないことを示す入力をヘルスケアシステムに提供してもよい。例えば、ユーザは、ヘルスケア管理システムに、患者がヘルスケア施設におけるロケーションから別のロケーションに移動したこと、又は患者がヘルスケア施設から退出した（ｄｉｓｃｈａｒｇｅｄ）ことを示すユーザ入力を提供してもよい。ヘルスケア管理システムは、ユーザ入力に基づいて、入院時に患者がロケーションに割当てられたことを示す第１メッセージ、患者がヘルスケア施設におけるロケーションから別のロケーションに移動したことを示すメッセージ、又は患者がヘルスケア施設から退出したことを示すメッセージを生成する。
【０００５】
[0005]ヘルスケアシステムは、ヘルスケア管理システム及びモバイルデバイス管理（ＭＤＭ）サーバに結合されたヘルスケアリスナ（ｌｉｓｔｅｎｅｒ）を含む。ヘルスケアリスナは、ヘルスケア管理システムからメッセージを受信するように構成されている。ＭＤＭサーバは、ヘルスケアリスナが受信したメッセージに基づいて、患者が入院、移動、又は退出したかどうかを決定するように構成されている。例えば、ＭＤＭサーバは、ヘルスケアリスナがどのメッセージを受信したかを決定するために、ヘルスケアリスナに問い合わせてもよい。ヘルスケアリスナは、ヘルスケアリスナがヘルスケア管理システムから第１メッセージを受信したことを示す第２メッセージをＭＤＭサーバに送信する。特定の実装では、ヘルスケアリスナは、ＭＤＭサーバからの更新要求の受信に応答して、第２メッセージをＭＤＭサーバに送信する。例えば、ＭＤＭサーバは、特定の時間間隔で（例えば、定期的に）ヘルスケアリスナに更新要求を送信する。代替的に、又は追加的に、ヘルスケアリスナは、ＭＤＭサーバからの更新要求を受信することとは独立して、ＭＤＭサーバに第２メッセージを送信してもよい。例えば、ヘルスケアリスナは、ヘルスケア管理システムから各メッセージ（例えば、第１メッセージ）の受信に応答して、メッセージ更新（例えば、第２メッセージ）をＭＤＭサーバに送信する。別の例として、ヘルスケアリスナは、特定の時間間隔でメッセージ更新（例えば、第２メッセージ）をＭＤＭサーバに送信する。第２メッセージは、特定の時間枠（の間にヘルスケア管理システムからヘルスケアリスナによって受信された１又は複数のメッセージに対応してもよい。第２メッセージは、入院時に患者がロケーションに割当てられたこと、患者がヘルスケア施設におけるロケーションから別のロケーションに移動したこと、又は患者がヘルスケア施設から退出したことを示す。
【０００６】
[0006]ＭＤＭサーバは、ヘルスケア施設のモバイルデバイスを管理するように構成される。ＭＤＭサーバは、第２メッセージが、入院時に患者がヘルスケア施設におけるロケーションに割当てられたこと、又は、患者がロケーションに移動したことを示すとの決定に応答して、患者がロケーション（例えば、病院ベッド）に割当てられたことを決定する。ＭＤＭサーバは、患者がロケーションに割当てられたとの決定に応答して、ロケーション・デバイス間マッピングデータに基づいて、ロケーションに割当てられたモバイルデバイスを識別する。ＭＤＭサーバは、識別されたモバイルデバイスへの患者に関連付けられたデータ（及びアプリケーション）の提供を開始してもよい。データは、患者記録、医療情報、アプリケーションデータ、又はそれらの組み合わせを含む。例えば、患者記録は、患者を治療するために割当てられた病院スタッフの名前を示してもよい。アプリケーションデータは、患者に関連付けられたユーザ特性（例えば、年齢、性別、教育、職業等）を対象とするエンターテイメントアプリケーション（例えば、ゲームアプリケーション）に対応してもよい。アプリケーションデータは、アプリケーション（例えば、実行可能ファイル）、アプリケーションの識別子、アプリケーションに関連付けられたユニバーサルリソースロケータ（ＵＲＬ）、又はそれらの組み合わせを含む。医療情報は、患者に関連づけられた症状又は診断に関連してもよい。
【０００７】
[0007]ＭＤＭサーバは、第２メッセージが、患者がヘルスケア施設から退出したこと、又は患者がヘルスケア施設における別のロケーション（例えば、別の病院ベッド）へ移動したことを示すとの決定に応答して、患者がロケーション（例えば、病院ベッド）に、もはや割当てられていないことを決定する。ＭＤＭサーバは、患者がロケーションに、もはや割当てられていないとの決定に応答して、モバイルデバイスにリセットコマンドを送信するように構成されている。リセットコマンドは、患者に関連付けられた個人識別情報（ｐｅｒｓｏｎａｌｌｙ  ｉｄｅｎｔｉｆｉａｂｌｅ  ｉｎｆｏｒｍａｔｉｏｎ）、患者に関連付けられた保護健康情報（ｐｒｏｔｅｃｔｅｄ  ｈｅａｌｔｈ  ｉｎｆｏｒｍａｔｉｏｎ）、又は両方をモバイルデバイスから削除することを示す。例えば、リセットコマンドはファクトリーリセットコマンドに対応してもよく、すべてのユーザデータをモバイルデバイスから削除することを示してもよい。モバイルデバイスは、リセットコマンドの受信に応答して、ユーザデータ（例えば、患者に関連付けられた情報を含む）を削除してもよい。
【０００８】
[0008]プッシュ通知サービスは、ＭＤＭサーバ及びモバイルデバイスに結合される。プッシュ通知サービスは、モバイルデバイスの信頼できるソース（ｔｒｕｓｔｅｄ  ｓｏｕｒｃｅ）に対応する。例えば、プッシュ通知サービスは、モバイルデバイスの製造業者に関連付けられて（例えば、提供されて）もよい。ＭＤＭサーバは、モバイルデバイスがロケーションに割当てられているとの決定に応答して、プッシュ通知サービスに通知要求を送信するように構成されている。プッシュ通知サービスは、ＭＤＭサーバからの通知要求の受信に応答して、モバイルデバイスにプッシュ通知を送信するように構成されている。プッシュ通知は、モバイルデバイスがＭＤＭサーバにチェックインすることを示してもよい。モバイルデバイスは、プッシュ通知の受信に応答して、ＭＤＭサーバにメッセージ（例えば、チェックインメッセージ）を送信してもよい。ＭＤＭサーバは、患者がロケーションに割当てられているとの決定に基づき、及び、モバイルデバイスからのメッセージの受信に基づいて、患者に関連付けられたデータをモバイルデバイスに送信してもよい。特定の例では、ＭＤＭサーバは、モバイルデバイスにデータを送信する前に、リセットコマンドをモバイルデバイスに送信する。例えば、ＭＤＭサーバは、モバイルデバイスにデータを送信する前に、モバイルデバイスを「クリア（ｃｌｅａｒ）」するために、モバイルデバイスにリセットコマンドを送信してもよい。ＭＤＭサーバは、患者がそのロケーションに、もはや割当てられていないとの決定に基づき、及び、モバイルデバイスからのメッセージの受信に基づいて、モバイルデバイスにリセットコマンドを送信してもよい。
【０００９】
[0009]特定の態様において、方法は、モバイルデバイス管理（ＭＤＭ）サーバにおいて、ヘルスケア施設におけるロケーションを示すメッセージを受信することを含む。方法は、ＭＤＭサーバにおいて、ロケーションに割当てられたモバイルデバイスを識別することも含む。方法は、リモートリセットコマンドをＭＤＭサーバからモバイルデバイスに送信することをさらに含む。例えば、ＭＤＭサーバは、メッセージが、患者がロケーションから移動したか、ヘルスケア施設から退出したことを示すとの決定に応答して、プッシュ通知サービスに通知要求を送信する。プッシュ通知サービスは、ＭＤＭサーバからの通知要求の受信に応答して、モバイルデバイスにプッシュ通知を送信する。モバイルデバイスは、プッシュ通知サービスからのプッシュ通知の受信に応答して、ＭＤＭサーバにメッセージを送信する。ＭＤＭサーバは、モバイルデバイスからのメッセージの受信に応答して、リモートリセットコマンドをモバイルデバイスに送信する。
【００１０】
[0010]別の特定の態様では、コンピュータ可読記憶装置は、プロセッサによって実行された時、患者識別子を含むメッセージを受信することと、を含む動作をプロセッサに実行させる命令を記憶し、メッセージはヘルスケア施設におけるロケーションを示す。動作は、ロケーションに割当てられたモバイルデバイスを識別することも含む。動作は、患者識別子に関連付けられたデータの前記モバイルデバイスへの提供を開始することをさらに含む。例えば、データは、メッセージが、ヘルスケア施設へ入院時に患者がロケーションに割当てられたこと、又は患者がヘルスケア施設における別のロケーションから、ロケーションに移動したことを示しているとの決定に少なくとも部分的に基づいて、モバイルデバイスに提供されてもよい。
【００１１】
[0011]別の特定の態様では、コンピュータシステムは、ヘルスケアリスナデバイスとモバイルデバイス管理（ＭＤＭ）サーバを含む。ヘルスケアリスナデバイスは、ヘルスケア施設におけるロケーションを示す第１メッセージを受信するように構成されている。ヘルスケアリスナデバイスは、ロケーションを示す第２メッセージをＭＤＭサーバに送信するようにさらに構成されている。ＭＤＭサーバは、ヘルスケアリスナデバイスからの第２メッセージの受信に応答して、ロケーションに割当てられたモバイルデバイスを識別し、リモートリセットコマンドをモバイルデバイスに送信するように構成される。
【００１２】
[0012]本開示の他の態様、利点、及び特徴は、以下の「図面の簡単な説」、「詳細な説明」、及び「特許請求の範囲」を含む出願書類全体を検討すれば明らかになるであろう。
【図面の簡単な説明】
【００１３】
【図１】[0013]図１は、ヘルスケア施設において、モバイルデバイス管理を実行するように動作可能なシステムの特定の例示的態様のブロック図である。
【図２】[0014]図２は、図１のシステムの特定の例示的態様の図である。
【図３】[0015]図２は、図１のシステムによって生成される移動メッセージの特定の例示的態様の図である。
【図４】[0016]図４は、図１のシステムによって生成される退出メッセージの特定の例示的態様の図である。
【図５】[0017]図５は、モバイルデバイス管理方法のフローチャートである。
【図６】[0018]図６は、モバイルデバイス管理方法のフローチャートである。
【図７】[0019]図７は、モバイルデバイス管理方法のフローチャートである。
【発明を実施するための形態】
【００１４】
[0020]図１を参照すると、システムが示されており、一般に参照番号１００で示されている。システム１００（例えば、コンピュータシステム）は、ヘルスケアリスナ１２０を介してＭＤＭサーバ１３０に結合されたヘルスケア管理システム１１０を含む。ＭＤＭサーバ１３０は、プッシュ通知サービス１４０及びモバイルデバイス１５０に結合されている。ヘルスケア管理システム１１０は、患者ステータス（ｐａｔｉｅｎｔ  ｓｔａｔｕｓ）を示す入退出・移動（ａｄｍｉｔ−ｄｉｓｃｈａｒｇｅ−ｔｒａｎｓｆｅｒ（ＡＤＴ））メッセージを生成するように構成される。例えば、ヘルスケア管理システム１１０は、患者がヘルスケア施設に入院したときのメッセージ、患者がヘルスケア施設におけるロケーションから別のロケーションに移動したときのメッセージ、患者がヘルスケア施設から退出したときのメッセージ、又はそれらの組み合わせを生成する。
【００１５】
[0021]ヘルスケアリスナ１２０は、ＡＤＴメッセージを追跡するように構成される。例えば、ヘルスケアリスナ１２０はヘルスケア管理システム１１０からメッセージを受信する。ヘルスケアリスナ１２０は、メッセージが受信されたことを示すデータをメモリに記憶してもよい。ＭＤＭサーバ１３０は、ヘルスケア管理システム１１０からＡＤＴメッセージが受信されたかどうかを決定するために、ヘルスケアリスナ１２０に問い合わせをするように構成されてもよい。ＭＤＭサーバ１３０は、ヘルスケア管理システム１１０からＡＤＴメッセージを受信したとの決定に応答して、リセットコマンド１３５をモバイルデバイス１５０に送信するか、モバイルデバイス１５０へのデータ１３３の提供を開始するように構成される。
【００１６】
[0022]動作中、ユーザ１０１（例えば、ヘルスケア管理者）は、患者１０３（例えば、「トム・スノーマン」）をヘルスケア施設に入院許可する。ユーザ１０１は、患者１０３が入院し、患者１０３がヘルスケア施設における特定のロケーションに割当てられたことを示すユーザ入力１０２をヘルスケア管理システム１１０に提供する。特定のロケーションは、ベッド、部屋、階（ｆｌｏｏｒ）、建物、ユニット、施設、セクション、又はそれらの組み合わせを含む。例えば、特定のロケーションは、ヘルスケア施設の特定の建物（例えば、建物Ａ）の特定のユニット（例えば、冠動脈ケアユニット）内の特定のベッド（例えば、ベッド番号２）に対応してもよい。別の例として、特定のロケーションは、ヘルスケア施設の特定のセクション（例えば、緊急治療室）の特定の部屋（例えば、ルーム２）に対応してもよい。ヘルスケア管理システム１１０は、患者１０３が特定のロケーションに割当てられたことを示す第１メッセージ１１２を生成する。
【００１７】
[0023]第１メッセージ１１２は、ＡＤＴメッセージに対応してもよい。第１メッセージ１１２の第１フィールドの値（例えば、「ＡＤＴ＿Ａ０１」）は、第１メッセージ１１２が入院メッセージに対応することを示してもよい。第１メッセージ１１２の第１フィールドは、メッセージヘッダフィールド、メッセージタイプフィールド、イベントタイプフィールド、イベントタイプコードフィールド、又はそれらの組み合わせを含んでもよい。第１メッセージ１１２の第２フィールドの値（例えば、「３０００１０５５」）は、患者１０３を識別する。第２フィールドは、患者識別フィールド、患者ＩＤリストフィールド、患者名フィールド、患者別名フィールド（ｐａｔｉｅｎｔ  ａｌｉａｓ  ｆｉｅｌｄ）、社会保障番号（ＳＳＮ）フィールド、運転免許証番号フィールド、又はそれらの組み合わせを含んでもよい。第１メッセージ１１２の第３フィールドの値（例えば、「ＣＣＵ０２」）は、特定のロケーション（例えば、冠動脈ケアユニットのベッド番号２）を示してもよい。第３フィールドは、ベッドステータス更新フィールド、患者訪問フィールド、割当て患者ロケーションフィールド、又はそれらの組み合わせを含んでもよい。
【００１８】
[0024]ヘルスケアリスナ１２０は、第１メッセージ１１２を受信する。ヘルスケアリスナ１２０は、第２メッセージ１１４をＭＤＭサーバ１３０に送信する。ヘルスケアリスナ１２０は、ヘルスケア管理システム１１０からの第１メッセージ１１２の受信に応答して、第２メッセージ１１４をＭＤＭサーバ１３０に送信する。特定の態様では、ヘルスケアリスナ１２０は、ＭＤＭサーバ１３０からの更新要求の受信に応答して、ＭＤＭサーバ１３０に第２メッセージ１１４を送信する。例えば、ヘルスケアリスナ１２０は、ヘルスケア管理システム１１０から受信したメッセージの記録を保持してもよい。ヘルスケアリスナ１２０は、第１メッセージ１１２の最初の受信に応答して、第１メッセージ１１２がヘルスケア管理システム１１０から最初に受信されたことを示すエントリをメモリに追加する。ＭＤＭサーバ１３０は、特定の時間間隔でヘルスケアリスナ１２０に更新要求を送信してもよい。特定の時間間隔は、構成設定、デフォルト値、ユーザ入力、又はそれらの組み合わせに基づくものであってよい。ヘルスケアリスナ１２０は、ＭＤＭサーバ１３０からの更新要求の受信に応答して、エントリに基づいて第２メッセージ１１４を生成し、第２メッセージ１１４をＭＤＭサーバ１３０に送信する。
【００１９】
[0025]特定の態様において、ヘルスケアリスナ１２０は、ＭＤＭサーバ１３０から更新要求を受信することとは独立して、第２メッセージ１１４をＭＤＭサーバ１３０に送信する。例えば、ヘルスケアリスナ１２０は、ヘルスケア管理システム１１０からの各メッセージ（例えば、第１メッセージ１１２）の受信、及びメッセージが特定のメッセージタイプ（例えば、入院、移動、又は退出）であるとの決定に応答して、メッセージ更新（例えば、第２メッセージ１１４）をＭＤＭサーバ１３０に送信する。この例では、第２メッセージ１１４は、ヘルスケア管理システム１１０から受信した単一のメッセージ（例えば、第１メッセージ１１２）に対応する。別の例として、ヘルスケアリスナ１２０は、特定の時間間隔（例えば、定期的に）でメッセージ更新（例えば、第２メッセージ１１４）をＭＤＭサーバ１３０に送信する。この例では、第２メッセージ１１４は、特定の時間枠の間にヘルスケア管理システム１１０からヘルスケアリスナ１２０が受信した１又は複数のメッセージに対応する。
【００２０】
[0026]第２メッセージ１１４は、患者１０３が特定のロケーションに割当てられたことを示す。例えば、第２メッセージ１１４は、ヘルスケア施設への入院時に患者１０３が特定のロケーションに割当てられたこと、又は患者１０３がヘルスケア施設における別のロケーションから特定のロケーションに移動したことを示す。特定の態様では、図２に示すように、第１メッセージ１１２及び第２メッセージ１１４の各々は、患者１０３の患者ＩＤ、特定のロケーションのロケーションＩＤ、第１メッセージ１１２のメッセージタイプ（例えば、入院、移動、又は退出）、又はそれらの組み合わせを含む。例えば、第１メッセージ１１２及び第２メッセージ１１４の各々は、第１メッセージ１１２のメッセージタイプ（例えば、退出）及び患者１０３の患者ＩＤを含む。特定の実装では、第１メッセージ１１２及び第２メッセージ１１４の各々は、患者１０３がヘルスケア施設の特定のロケーションから退出（ｄｉｓｃｈａｒｇｅｄ）したことを示す、特定のロケーション（例えば病院ベッド）のロケーションＩＤを含む。代替の実装では、ロケーションＩＤは、第１メッセージ１１２、第２メッセージ１１４、又は両方に存在しない。この実装では、第１メッセージ１１２及び第２メッセージ１１４の各々は、患者１０３がヘルスケア施設から退出したことを示す。第１メッセージ１１２及び第２メッセージ１１４の各々は、ロケーションＩＤを明示的に含むことなく、患者１０３が以前の割当てロケーション（例えば特定のロケーション）から退出したことを暗示的に示してもよい。
【００２１】
[0027]図２にさらに示されるように、ＭＤＭサーバ１３０は、モバイルデバイス１５０が特定のロケーションに割当てられたことを決定する。例えば、ＭＤＭサーバ１３０は、ロケーション・デバイス間マッピングデータが、特定のロケーションのロケーションＩＤがモバイルデバイス１５０のデバイスＩＤに対応する（例えば、割当てられる）ことを示すとの決定をしてもよい。
【００２２】
[0028]ＭＤＭサーバ１３０は、プッシュ通知１３１のモバイルデバイス１５０への送信を開始するために、通知要求１２４をプッシュ通知サービス１４０に送信してもよい。プッシュ通知サービス１４０は、通知要求１２４の受信及び、通知要求１２４がモバイルデバイス１５０を示すとの決定に応答して、モバイルデバイス１５０にプッシュ通知１３１を送信する。プッシュ通知１３１は、モバイルデバイス１５０に、ＭＤＭサーバ１３０にチェックインすることを指示する。例えば、プッシュ通知サービス１４０は、モバイルデバイス１５０の信頼できるソースであってもよく、プッシュ通知１３１は、ＭＤＭサーバ１３０が信頼できるデバイスであることを示してもよい。ＭＤＭサーバ１３０は、プッシュ通知１３１に応答してモバイルデバイス１５０からメッセージ１３２を受信してもよい。例えば、モバイルデバイス１５０は、プッシュ通知１３１の受信に応答して、メッセージ１３２をＭＤＭサーバ１３０に送信する。図２にさらに示されるように、ＭＤＭサーバ１３０は、メッセージ１３２の受信に応答して、データ１３３をモバイルデバイス１５０に送信してもよい。図２にさらに示されるように、データ１３３は、患者１０３に関連付けられている。例えば、データ１３３は、患者１０３に関連付けられた患者記録、医療情報、アプリケーションデータ、又は構成設定のうちの少なくとも１つを含む。
【００２３】
[0029]特定の態様では、ＭＤＭサーバ１３０は、データ１３３をモバイルデバイス１５０に送信する前に、リセットコマンド１３５をモバイルデバイス１５０に送信する。リセットコマンド１３５は、ファクトリーリセットコマンドに対応してもよい。患者の機密性保護（例えば、患者のプライバシー保護）を改善するために、モバイルデバイス１５０は、リセットコマンド１３５の受信に応答して、モバイルデバイス１５０に記憶されたユーザデータを削除してもよい。ユーザデータは、モバイルデバイス１５０を以前使用したユーザ（例えば、患者）に対応してもよい。モバイルデバイス１５０は、モバイルデバイス１５０に記憶されたユーザデータを削除した後、ＭＤＭサーバ１３０からデータ１３３を受信してもよい。
【００２４】
[0030]特定の態様では、ヘルスケア管理システム１１０は、患者１０３が第１ロケーションから第２ロケーションに移動したとの決定に応答して、第１メッセージ１１２を生成する。第１メッセージ１１２の第１フィールドの値（例えば、「ＡＤＴ＿Ａ０２」）は、第１メッセージ１１２が移動メッセージに対応することを示してもよい。第１メッセージ１１２の第２フィールドの値（例えば、「３０００１０５５」）は、患者１０３を特定してもよい。第１メッセージ１１２の第３フィールドの値（例えば、「ＣＣＵ０２」）は、第１ロケーション（例えば、冠動脈ケアユニットのベッド番号２）を示してもよい。第３フィールドは、ベッドステータス更新フィールド、患者訪問フィールド、前ロケーションフィールド（ｐｒｉｏｒ  ｌｏｃａｔｉｏｎ  ｆｉｅｌｄ）、又はそれらの組み合わせを含んでもよい。第１メッセージ１１２の第４フィールドの値（例えば、「ＰＴＵ０５」）は、第２ロケーション（例えば、患者治療ユニットの部屋番号５）を示してもよい。第４フィールドは、ベッドステータス更新フィールド、患者訪問フィールド、割当て患者ロケーションフィールド、又はそれらの組み合わせを含んでもよい。
【００２５】
[0031]ＭＤＭサーバ１３０は、患者１０３が第１ロケーションから移動したことを示すメッセージ１３２の受信、モバイルデバイス１５０が第１ロケーションに割当てられたことの決定、モバイルデバイス１５０が患者１０３に割当てられたことの決定、又はそれらの組み合わせに応答して、リセットコマンド１３５をモバイルデバイス１５０に送信してもよい。リセットコマンド１３５は、患者１０３に関連付けられた個人識別情報、患者１０３に関連付けられた保護健康情報、又は両方がモバイルデバイス１５０から削除されることを示してもよい。モバイルデバイス１５０は、リセットコマンド１３５の受信に応答して、モバイルデバイス１５０に記憶されたデータ１３３を削除してもよい。あるいは、ＭＤＭサーバ１３０は、患者１０３が第２ロケーションに移動したことと、モバイルデバイス１５０が第２ロケーションに割当てられたこととを示すメッセージ１３２の受信に応答して、データ１３３をモバイルデバイス１５０に送信してもよい。特定の態様では、ＭＤＭサーバ１３０は、モバイルデバイス１５０にリセットコマンド１３５を送信する前に、モバイルデバイス１５０にリセットコマンド１３５を送信する。モバイルデバイス１５０は、リセットコマンド１３５の受信に応答して、モバイルデバイス１５０の以前のユーザに対応するユーザデータを削除してもよい。
【００２６】
[0032]特定の態様において、ヘルスケア管理システム１１０は、患者１０３が特定のロケーション（例えば、病院ベッド又は病室）又はヘルスケア施設から退出したとの決定に応答して、第１メッセージ１１２を生成する。第１メッセージ１１２の第１フィールドの値（例えば、「ＡＤＴ＿Ａ０３」）は、第１メッセージ１１２が退出メッセージに対応することを示す。第１メッセージ１１２の第２フィールドの値（例えば、「３０００１０５５」）は、患者１０３を識別する。第１メッセージ１１２の第３フィールドの値（例えば、「ＩＣＵ１０」）は、特定のロケーション（例えば、集中治療室のベッド１０）を示してもよい。第３フィールドは、ベッドステータス更新フィールド、患者訪問フィールド、前ロケーションフィールド、又はそれらの組み合わせを含んでもよい。
【００２７】
[0033]ＭＤＭサーバ１３０は、患者１０３が特定のロケーションから退出したことと、モバイルデバイス１５０が特定のロケーションに割当てられたこととを示すメッセージ１３２の受信に応答して、リセットコマンド１３５をモバイルデバイス１５０に送信してもよい。あるいは、ＭＤＭサーバ１３０は、モバイルデバイス１５０が患者１０３に割当てられていたことと、患者１０３が退出したこととを示すメッセージ１３２の受信に応答して、リセットコマンド１３５をモバイルデバイス１５０に送信してもよい。
【００２８】
[0034]従って、システム１００は、ヘルスケア施設によって提供されるモバイルデバイス１５０を使用して、患者１０３が機密情報又は目的の情報にアクセスすることを可能にしてもよい。患者のプライバシー保護を改善するために、特定のロケーション（例えば、病院ベッド又は病室）が患者１０３に、もはや割当てられなくなった場合は、情報（例えば、データ１３３）をモバイルデバイス１５０から削除してもよい。例えば、ＭＤＭサーバ１３０は、患者がモバイルデバイス１５０に、もはや関連付けられないとの決定に応答して、患者データ（例えば、データ１３３）を削除するようモバイルデバイス１５０に命令するリセットコマンド１３５を送信してもよい。
【００２９】
[0035]図２を参照すると、システムが示されており、一般に参照番号２００で示されている。システム２００は、システム１００に対応してもよい。例えば、システム２００は、プッシュ通知サービス１４０及びモバイルデバイス１５０に結合されたＭＤＭサーバ１３０を含む。ＭＤＭサーバ１３０は、メモリ２３２に結合されたモバイルデバイスマネージャ２３４（例えば、プロセッサ）を含む。
【００３０】
[0036]特定の態様では、モバイルデバイスマネージャ２３４は、ここで説明される１又は複数の動作を実行するように構成されたプロセッサに対応する。特定の態様では、モバイルデバイスマネージャ２３４は、プロセッサによって実行された時、プロセッサに、ここで説明される１又は複数の動作を実行させる命令に対応する。特定の態様では、モバイルデバイスマネージャ２３４は、ここで説明される１又は複数の動作を実行するために実行可能な命令を記憶するコンピュータ可読記憶装置に対応する。
【００３１】
[0037]ここで説明されるように、モバイルデバイスマネージャ２３４は、リセットコマンド１３５、データ１３３、又は両方をモバイルデバイス１５０に送信するように構成されてもよい。メモリ２３２は、ロケーション・デバイス間マッピングデータ２１０を記憶するように構成されてもよい。ロケーション・デバイス間マッピングデータ２１０は、１又は複数のモバイルデバイスがヘルスケア施設における１又は複数のロケーションに割当てられたことを示してもよい。例えば、ロケーション・デバイス間マッピングデータ２１０は、モバイルデバイス１５０のデバイスＩＤ２１４がヘルスケア施設における特定のロケーションのロケーションＩＤ２０４に割当てられたことを示す。デバイスＩＤ２１４は、モバイルデバイス１５０のメディアアクセス制御（ＭＡＣ）アドレス、モバイルデバイス１５０のインターネットプロトコル（ＩＰ）アドレス、又は別のデバイスＩＤを含んでもよい。
【００３２】
[0038]特定の態様では、ＭＤＭサーバ１３０は、他のデバイスからロケーション・デバイス間マッピングデータ２１０を受信する。代替的な態様では、ＭＤＭサーバ１３０は、ロケーション・デバイス間マッピングデータ２１０を生成する。例えば、図１のユーザ１０１（又は別のユーザ）は、モバイルデバイス１５０を特定のロケーション（例えば、病院ベッド又は病室）に割当ててもよい。ＭＤＭサーバ１３０は、モバイルデバイス１５０が特定のロケーションに割当てられたことを示すユーザ入力の受信に応答して、モバイルデバイス１５０が特定のロケーションに割当てられたことを示すロケーション・デバイス間マッピングデータ２１０を生成（又は更新）してもよい。
【００３３】
[0039]メモリ２３２は、患者データを記憶するように構成される。例えば、メモリ２３２は、患者１０３の患者記録２２２を記憶する。メモリ２３２は、患者記録２２２が患者ＩＤ２０６を有する患者１０３に割当てられたことを示してもよい。メモリ２３２は、医療情報２２４を記憶するように構成されてもよい。医療情報２２４は、特定の症状（例えば、高コレステロール）、特定の診断（例えば、心臓病）、又は両方に関連付けられてもよい。メモリ２３２は、アプリケーションデータ２２６を記憶するように構成されてもよい。アプリケーションデータ２２６は、エンターテイメントアプリケーション、教育アプリケーション、ヘルスケアアプリケーション、又はそれらの組み合わせ等のアプリケーションに対応する。アプリケーションデータ２２６は、アプリケーション（例えば、実行可能ファイル）、アプリケーションの識別子、アプリケーションに関連付けられたユニバーサルリソースロケータ（ＵＲＬ）、又はそれらの組み合わせを含む。メモリ２３２は、構成設定２２８を含んでもよい。構成設定２２８には、ユーザ名、パスワード、又は両方を含んでもよい。
【００３４】
[0040]図１に示すように、動作中、ＭＤＭサーバ１３０は、ヘルスケアリスナ１２０から第２メッセージ１１４を受信する。第２メッセージ１１４は、メッセージタイプ２０２（例えば、入院、移動、又は退出）、ロケーションＩＤ２０４、患者１０３の患者ＩＤ２０６、又はそれらの組み合わせを示す。例えば、第２メッセージ１１４は、第１メッセージ１１２に基づいている。ヘルスケアリスナ１２０は、第１メッセージ１１２の第１フィールドの値に基づいてメッセージタイプ２０２を決定してもよい。例えば、第１フィールドの第１値（例えば「ＡＤＴ＿０１」）、第２値（例えば「ＡＤＴ＿０２」）、及び第３の値（例えば「ＡＤＴ＿０３」）はそれぞれ、第１メッセージタイプ（例えば、入院メッセージタイプ）、第２メッセージタイプ（例えば、移動メッセージタイプ）、及び３番目のメッセージタイプ（例えば、退出メッセージタイプ）の各々に対応する。ヘルスケアリスナ１２０は、第１メッセージ１１２の第２フィールドの値（例えば、「３０００１０５５」）に基づいて患者ＩＤ２０６を決定してもよい。
【００３５】
[0041]ヘルスケアリスナ１２０は、第１メッセージ１１２の第３フィールドの値又は第１メッセージ１１２の第４フィールドの値に基づいてロケーションＩＤ２０４を決定してもよい。例えば、ヘルスケアリスナ１２０は、第１メッセージ１１２が入院メッセージに対応するとの決定に応答して、第１メッセージ１１２の割当て患者ロケーションフィールドに基づいてロケーションＩＤ２０４を決定する。ヘルスケアリスナ１２０は、第１メッセージ１１２が退出メッセージに対応するとの決定に応答して、第１メッセージ１１２の前ロケーションフィールドに基づいてロケーションＩＤ２０４を決定する。
【００３６】
[0042]ヘルスケアリスナ１２０は、第１メッセージ１１２が移動メッセージに対応するとの決定に応答して、第１メッセージ１１２の前ロケーションフィールドに基づく第１ロケーションＩＤ、第１メッセージ１１２の割当て患者ロケーションフィールドに基づく第２ロケーションＩＤ、又は両方を決定する。第１メッセージ１１２は、患者１０３が第１ロケーションＩＤに対応する第１ロケーションから第２ロケーションＩＤに対応する第２ロケーションに移動したことを示してもよい。ヘルスケアリスナ１２０は、第１ロケーションＩＤ、第２ロケーションＩＤ、又は両方を示すために第２メッセージ１１４を生成する。ロケーションＩＤ２０４は、第１ロケーションＩＤ又は第２ロケーションＩＤに対応してもよい。
【００３７】
[0043]モバイルデバイスマネージャ２３４は、第２メッセージ１１４に基づいて、患者１０３が特定のロケーションに割当てられたかどうかを決定してもよい。例えば、モバイルデバイスマネージャ２３４は、メッセージタイプ２０２が入院メッセージを示すことと、第２メッセージ１１４が（患者ＩＤ２０６に対応する）患者１０３がロケーションＩＤ２０４に基づく特定のロケーションに割当てられたことを示すとの決定に応答して、患者１０３が特定のロケーションに割当てられたことを決定する。モバイルデバイスマネージャ２３４は、患者１０３が特定のロケーションに割当てられたとの決定に応答して、特定のロケーションに割当てられた１又は複数のモバイルデバイスを識別する。例えば、モバイルデバイスマネージャ２３４は、ロケーション・デバイス間マッピングデータ２１０が、ロケーションＩＤ２０４がデバイスＩＤ２１４に対応することを示す、との決定に応答して、モバイルデバイス１５０が特定のロケーションに割当てられたと決定する。
【００３８】
[0044]モバイルデバイスマネージャ２３４は、ロケーションＩＤ２０４がデバイスＩＤ２１４に対応するとの決定に応答して、患者ＩＤ２０６がデバイスＩＤ２１４に対応することを示すデータをメモリ２３２に記憶してもよい。例えば、モバイルデバイスマネージャ２３４は、モバイルデバイス１５０が図１の患者１０３に割当てられたことを示すデータをメモリ２３２に記憶する。
【００３９】
[0045]モバイルデバイスマネージャ２３４は、ロケーションＩＤ２０４がデバイスＩＤ２１４に対応するとの決定に応答して、通知要求１２４をプッシュ通知サービス１４０に送信してもよい。通知要求１２４は、デバイスＩＤ２１４を含む。プッシュ通知サービス１４０は、ＭＤＭサーバ１３０からの通知要求１２４の受信と、通知要求１２４がデバイスＩＤ２１４を示すとの決定に応答して、プッシュ通知１３１をモバイルデバイス１５０に送信する。プッシュ通知１３１は、ＭＤＭサーバ１３０を識別してもよい。例えば、プッシュ通知１３１は、ＭＤＭサーバ１３０のアドレス（例えば、ＭＡＣアドレス、ＩＰアドレス、又は両方）を示す。モバイルデバイス１５０は、プッシュ通知１３１の受信と、プッシュ通知１３１がＭＤＭサーバ１３０を識別するとの決定に応答して、メッセージ１３２をＭＤＭサーバ１３０に送信する。プッシュ通知サービス１４０は、モバイルデバイス１５０の信頼できるソースであってもよい。モバイルデバイス１５０は、プッシュ通知サービス１４０からのプッシュ通知１３１がＭＤＭサーバ１３０を識別するとの決定に応答して、ＭＤＭサーバ１３０と通信してもよい。
【００４０】
[0046]モバイルデバイスマネージャ２３４は、図１のヘルスケアリスナ１２０からの第２メッセージ１１４の受信、モバイルデバイス１５０からのメッセージ１３２の受信、又は両方に応答して、データ１３３を生成する。データ１３３は、患者記録２２２、医療情報２２４、アプリケーションデータ２２６、構成設定２２８、又はそれらの組み合わせを含んでもよい。モバイルデバイスマネージャ２３４は、患者ＩＤ２０６に基づいて患者記録２２２を検索（ｒｅｔｒｉｅｖｅｓ）する。患者記録２２２は、患者１０３のケアに割当てられた医療従事者、患者１０３に処方された薬剤、患者１０３の検査結果、患者１０３へのメッセージ、患者１０３に示される症状（例えば、高コレステロール）、患者１０３の診断（例えば、心臓病）、患者１０３の職業（例えば、スタントマン（ｓｔｕｎｔ  ｐｅｒｓｏｎ））、患者１０３の習慣（例えば、喫煙者）、患者１０３の教育レベル、患者１０３の年齢、又はそれらの組み合わせを示しても（又は識別しても）よい。
【００４１】
[0047]モバイルデバイスマネージャ２３４は、患者記録２２２に基づいて医療情報２２４を検索（又は識別）してもよい。例えば、モバイルデバイスマネージャ２３４は、患者記録２２２によって示される症状、診断、職業、習慣、教育レベル、年齢、又はそれらの組み合わせに対応する医療情報２２４を検索する。医療情報２２４は、医療専門家によって選択され、患者１０３を対象とする教材を含んでもよい。
【００４２】
[0048]モバイルデバイスマネージャ２３４は、患者記録２２２に基づいてアプリケーションデータ２２６を選択してもよい。例えば、モバイルデバイスマネージャ２３４は、患者記録２２２によって示される年齢、教育レベル、症状、診断、職業、習慣、又はそれらの組み合わせに基づいてアプリケーションを選択する。アプリケーションは、患者１０３を対象としている。例えば、アプリケーションには、患者１０３と同じ年齢のユーザを対象としたコンピュータゲームが含まれる。アプリケーションデータ２２６は、選択されたアプリケーションに対応する。例えば、アプリケーションデータ２２６は、選択されたアプリケーション、選択されたアプリケーションの識別子、選択されたアプリケーションのダウンロードＵＲＬ、又はそれらの組み合わせを含む。ダウンロードＵＲＬは、選択したアプリケーションを検索できるロケーションを示す。ロケーションは、ＭＤＭサーバ１３０又は別のデバイスに関連付けられてもよい。
【００４３】
[0049]特定の態様では、アプリケーションデータ２２６は、マニフェストファイルのマニフェストＵＲＬを含む。マニフェストＵＲＬは、マニフェストファイルのロケーションを示し、マニフェストファイルは選択したアプリケーションのダウンロードＵＲＬを示す。モバイルデバイスマネージャ２３４は、患者記録２２２に基づいてマニフェストファイルを生成（又は選択）する。例えば、モバイルデバイスマネージャ２３４は、患者記録２２２に基づいてアプリケーションを選択し、選択されたアプリケーションを示すマニフェストファイルを生成する。別の例としては、モバイルデバイスマネージャ２３４は、患者記録２２２によって示される年齢、教育レベル、症状、診断、職業、習慣、又はそれらの組み合わせに基づいてマニフェストファイルを選択する。マニフェストファイルは、患者１０３を対象とする１又は複数のアプリケーションを示す。
【００４４】
[0050]モバイルデバイスマネージャ２３４は、患者ＩＤ２０６、患者記録２２２、又は両方に基づいて構成設定２２８を生成してもよい。例えば、モバイルデバイスマネージャ２３４は、患者ＩＤ２０６、年齢、教育レベル、症状、診断、職業、習慣、又はそれらの組み合わせを示す構成設定２２８を生成する。
【００４５】
[0051]モバイルデバイスマネージャ２３４は、モバイルデバイス１５０からのメッセージ１３２の受信に応答して、モバイルデバイス１５０にデータ１３３を送信してもよい。別の態様では、モバイルデバイスマネージャ２３４は、モバイルデバイス１５０からのメッセージ１３２の受信とは独立してデータ１３３を送信する。この態様では、ＭＤＭサーバ１３０はモバイルデバイス１５０の信頼できるソースであってよく、モバイルデバイス１５０は、ＭＤＭサーバ１３０にメッセージ１３２を送信したことと独立して、ＭＤＭサーバ１３０からデータ１３３を受け入れてもよい。
【００４６】
[0052]特定の態様では、データ１３３は患者記録２２２を含む。この態様では、モバイルデバイス１５０は、患者１０３が患者記録２２２にアクセスすることを可能にする。例えば、患者１０３は、患者１０３のケアに割当てられた医療従事者を識別するために、モバイルデバイス１５０を使用する。別の例としては、患者１０３は、患者記録２２２が患者１０３に関する正確な情報を含むかどうかを検証するために、モバイルデバイス１５０を使用する。例えば、患者１０３は、患者１０３のアレルギー情報が患者記録２２２に正確に示されているかどうかを確認してもよい。患者１０３は、患者記録２２２における不正確な情報の検出に応じて、病院職員に通知してもよい。
【００４７】
[0053]特定の態様では、データ１３３は医療情報２２４を含む。この態様では、モバイルデバイス１５０は、患者１０３が医療情報２２４にアクセスすることを可能にする。例えば、患者１０３は、患者１０３の診断に関連する医療情報２２４をレビュー（ｒｅｖｉｅｗ）するために、モバイルデバイス１５０を使用する。医療情報２２４にアクセスすることにより、患者１０３は十分な情報に基づいた医療上の決定をすることができる。
【００４８】
[0054]特定の態様では、データ１３３はアプリケーションデータ２２６を含む。この態様では、モバイルデバイス１５０は、患者１０３がアプリケーションデータ２２６に対応するアプリケーションにアクセスすることを可能にする。例えば、アプリケーションデータ２２６はアプリケーションを含み、モバイルデバイス１５０は、モバイルデバイス１５０にアプリケーションを記憶（例えば、インストール）する。別の例としては、モバイルデバイス１５０は、アプリケーションデータ２２６によって示されるアプリケーション識別子（例えば、ＵＲＬ）に基づいてアプリケーションを検索する。アプリケーション識別子は、ＭＤＭサーバ１３０又は別のデバイスに関連付けられている。特定の例では、アプリケーションデータ２２６は、マニフェストファイルのロケーションを示すマニフェストＵＲＬを含む。この例では、ＭＤＭサーバ１３０は、アプリケーションデータ２２６をインストールアプリケーションコマンドとしてモバイルデバイス１５０に送信してもよい。インストールアプリケーションコマンドは、マニフェストＵＲＬを示してもよい。モバイルデバイス１５０は、マニフェストＵＲＬに基づいてマニフェストファイルを検索する。マニフェストファイルは、アプリケーション識別子（ＵＲＬ等）を示す。モバイルデバイス１５０は、マニフェストファイルによって示されるアプリケーション識別子に基づいてアプリケーションを検索する。特定の態様では、マニフェストファイルは、複数のアプリケーションに関連付けられた複数のアプリケーション識別子を示す。モバイルデバイス１５０は、アプリケーション識別子に基づいてアプリケーションを検索する。アプリケーションデータ２２６は、１又は複数のターゲットアプリケーションに対応してもよい。例えば、患者１０３は、患者１０３と同じ年齢のユーザを対象とするコンピュータゲーム（例えば、チェス）をプレイするために、モバイルデバイス１５０を使用する。
【００４９】
[0055]特定の態様では、データ１３３は構成設定２２８を含む。この態様では、モバイルデバイス１５０は、構成設定２２８に基づいて患者１０３のために構成される。例えば、モバイルデバイス１５０は、構成設定２２８に基づいて、ウェブベースのアプリケーションにユーザ名とパスワードを提供し、患者１０３は、ユーザ名とパスワードをタイプ（ｔｙｐｅ）することなくモバイルデバイス１５０を介してウェブベースのアプリケーションにアクセスする。
【００５０】
[0056]特定の態様では、モバイルデバイスマネージャ２３４は、データ１３３をモバイルデバイス１５０に送信する前に、リセットコマンド１３５をモバイルデバイス１５０に送信する。モバイルデバイス１５０は、リセットコマンド１３５の受信に応答して、モバイルデバイス１５０に記憶されたユーザデータを削除してもよい。例えば、モバイルデバイス１５０は、モバイルデバイス１５０の前ユーザに関連付けられた、患者記録、医療情報、アプリケーションデータ、アプリケーション、構成、又はそれらの組み合わせを削除する。
【００５１】
[0057]従って、モバイルデバイスマネージャ２３４は、患者１０３がヘルスケア施設に入院したことを示すメッセージ（例えば、図１の第１メッセージ１１２に基づく第２メッセージ１１４）の受信に応答して、患者１０３による使用のために、モバイルデバイス１５０を自動的にセットアップすることを可能にしてもよい。モバイルデバイスを自動的にセットアップする機能は、ヘルスケア管理システム１１０の変更とは独立してシステム１００に追加されてもよい。ヘルスケア管理システム１１０は、従来からのヘルスケア管理システム、独立して管理されるヘルスケア管理システム、又は両方を含んでもよい。
【００５２】
[0058]特定の態様において、モバイルデバイスマネージャ２３４は、通知要求１２４をプッシュ通知サービス１４０に送信してから特定の期間内にモバイルデバイス１５０からメッセージ１３２が受信されなかったとの決定に応答して、アラート２３０（例えばメッセージ）を生成する。特定の期間は、構成設定、デフォルト値、ユーザ入力、又はそれらの組み合わせに対応してもよい。モバイルデバイスマネージャ２３４は、アラート２３０をデバイス、ユーザ、又は両方に送信してもよい。例えば、モバイルデバイスマネージャ２３４は、アラート２３０をユーザ１０１（又は別のヘルスケア管理者）の電子メール（Ｅメール）アカウントに送信する。
【００５３】
[0059]ユーザ１０１（又は別のヘルスケア管理者）は、アラート２３０の受信に応答してモバイルデバイス１５０をチェックすることができる。例えば、モバイルデバイス１５０の電源が入っていない場合、ユーザ１０１はモバイルデバイス１５０の電源を入れる。モバイルデバイス１５０は、起動した後にプッシュ通知サービス１４０からプッシュ通知１３１を受信してもよい。別の例として、モバイルデバイス１５０が適切に動作していない場合、ユーザ１０１は、ロケーションＩＤ２０４に対応する特定のロケーション（例えば病院ベッド又は病室）に別のモバイルデバイスを割当てる。この例では、モバイルデバイスマネージャ２３４は、第２デバイスＩＤを有する第２モバイルデバイスがロケーションＩＤ２０４に対応する特定のロケーションに割当てたことを示す更新されたロケーション・デバイス間マッピングデータの受信に応答して、第２デバイスＩＤを示す更新された通知要求１２４をプッシュ通知サービス１４０に送信する。プッシュ通知サービス１４０は、プッシュ通知１３１を、第２デバイスＩＤに対応する第２モバイルデバイスに送信する。第２モバイルデバイスは、メッセージ１３２をＭＤＭサーバ１３０に送信し、ＭＤＭサーバ１３０からデータ１３３を受信する。
【００５４】
[0060]特定の態様では、モバイルデバイスマネージャ２３４は、メッセージタイプ２０２が移動メッセージ（ｔｒａｎｓｆｅｒ  ｍｅｓｓａｇｅ）を示すことと、第２メッセージ１１４が患者ＩＤ２０６に対応する患者１０３（例えば、「トム・スノーマン」）がロケーションＩＤ２０４に対応する特定のロケーションに移動したことを示すこととの決定に応答して、患者１０３が特定のロケーションに割当てられたと決定する。患者１０３が特定のロケーションに移動したとの決定に応答してモバイルデバイスマネージャ２３４により実行される動作は、患者１０３がヘルスケア施設に入院し、特定のロケーションに割当てられたとの決定に応答してモバイルデバイスマネージャ２３４により実行される１又は複数の動作を含んでもよい。
【００５５】
[0061]特定の態様において、モバイルデバイスマネージャ２３４は、第２メッセージ１１４に基づいて、患者１０３が特定のロケーションに、もはや割当てられていないことを決定する。例えば、モバイルデバイスマネージャ２３４は、メッセージタイプ２０２が移動メッセージを示すことと、第２メッセージ１１４が患者１０３が特定のロケーションから移動したことを示すこととの決定に応答して、患者１０３が特定のロケーションに、もはや割当てられていないことを決定する。別の例として、モバイルデバイスマネージャ２３４は、メッセージタイプ２０２が退出メッセージ（ｄｉｓｃｈａｒｇｅ  ｍｅｓｓａｇｅ）を示すとの決定に応答して、患者１０３が特定のロケーションに、もはや割当てられていないと決定する。
【００５６】
[0062]患者１０３が退出したとの決定に応答してモバイルデバイスマネージャ２３４により実行される動作は、患者１０３が特定のロケーションから移動したとの決定に応答してモバイルデバイスマネージャ２３４により実行される１又は複数の動作を含んでもよい。例えば、モバイルデバイスマネージャ２３４は、患者１０３が特定のロケーションに、もはや割当てられていないとの決定に応答して、モバイルデバイス１５０を識別する。特定の態様では、第２メッセージ１１４は、特定のロケーションのロケーションＩＤ２０４を示し、モバイルデバイスマネージャ２３４は、ロケーション・デバイス間マッピングデータ２１０に基づいてモバイルデバイス１５０を識別する。代替的な態様では、モバイルデバイスマネージャ２３４は、メモリ２３２に記憶されたデータが、デバイスＩＤ２１４を有するモバイルデバイス１５０が患者ＩＤ２０６を有する患者１０３に割当てられたことを示すとの決定に応答して、モバイルデバイス１５０を識別する。
【００５７】
[0063]モバイルデバイスマネージャ２３４は、モバイルデバイス１５０の識別に応答して、リセットコマンド１３５をモバイルデバイス１５０に送信する。モバイルデバイス１５０は、リセットコマンド１３５の受信に応答して、モバイルデバイス１５０に記憶されている患者１０３に関連するユーザ情報を削除してもよい。例えば、モバイルデバイス１５０は、リセットコマンド１３５の受信に応答して、モバイルデバイス１５０に記憶されたデータ１３３を削除する。別の例として、モバイルデバイス１５０は、リセットコマンド１３５の受信に応答して、モバイルデバイス１５０のファクトリーリセットを実行する。ファクトリーリセットの実行は、モバイルデバイス１５０をオリジナルの出荷時の設定（ｍａｎｕｆａｃｔｕｒｅｒ  ｓｅｔｔｉｎｇｓ）に復元してもよい。例えば、モバイルデバイス１５０は、モバイルデバイス１５０に記憶されたデータ１３３を含むすべてのユーザデータを削除することにより、ファクトリーリセットを実行する。モバイルデバイスマネージャ２３４は、患者ＩＤ２０６とデバイスＩＤ２１４との間の関連付けを解除する（ｒｅｍｏｖｅ）ために、メモリ２３２を更新してもよい。
【００５８】
[0064]従って、システム２００は、患者１０３がモバイルデバイス１５０に対応する特定のロケーションに割当てられた一方で、患者１０３による使用のため、モバイルデバイス１５０の自動セットアップを可能にする。また、システム２００は、患者１０３が特定のロケーションに、もはや割当てられなくなると、モバイルデバイス１５０に記憶された患者１０３のユーザデータの自動削除を可能にすることにより、患者のプライバシー保護を改善する。例えば、モバイルデバイスマネージャ２３４は、患者がモバイルデバイス１５０に、もはや関連付けられなくなるとの決定に応答して、患者データ（例えば、データ１３３）を削除するようモバイルデバイス１５０に指示するリセットコマンド１３５を送信する。
【００５９】
[0065]図３を参照すると、移動メッセージが示されており、一般的に参照符号３１２で示されている。移動メッセージ３１２は、図１のヘルスケア管理システム１１０、ヘルスケアリスナ１２０、システム１００、又はそれらの組み合わせにより生成されてもよい。移動メッセージ３１２は、図１の第１メッセージ１１２、第２メッセージ１１４又は両方に対応してもよい。移動メッセージ３１２は、ＡＤＴメッセージ仕様に準拠してもよい。特定の態様では、移動メッセージ３１２は、健康レベル７（ＨＬ７）フォーマットに準拠している。例えば、移動メッセージ３１２は、ＨＬ７バージョン１フォーマット、ＨＬ７バージョン２フォーマット、ＨＬ７バージョン３フォーマット、ＨＬ７迅速医療情報相互運用リソース（ｆａｓｔ  ｈｅａｌｔｈｃａｒｅ  ｉｎｔｅｒｏｐｅｒａｂｉｌｉｔｙ  ｒｅｓｏｕｒｃｅｓ  （ＦＨＩＲ））フォーマット、別のＨＬ７フォーマット、又はそれらの組み合わせに準拠する。
【００６０】
[0066]移動メッセージ３１２は、メッセージタイプ２０２（例えば、「Ａ０２」）を示す。メッセージタイプ２０２の値（例えば、「Ａ０２」）は、移動メッセージ３１２が移動メッセージに対応することを示す。移動メッセージ３１２は、患者ＩＤ２０６（例えば、「３０００１０５５」）を示す。患者ＩＤ２０６の値（例えば、「３０００１０５５」）は、対応する患者１０３が移動したことを示す。移動メッセージ３１２は、前ロケーションＩＤ３０４（例えば、「ＨＣ１０‐ＣＣＵ＾ＣＣＵ０２＾ＣＣＵ０２＾ＵＣＨＣ＾１＾＾＾＾＾＾」）を示す。前ロケーションＩＤ３０４の値（例えば、「ＨＣ１０‐ＣＣＵ＾ＣＣＵ０２＾ＣＣＵ０２＾ＵＣＨＣ＾１＾＾＾＾＾＾」）は、患者１０３が対応する第１ロケーション（例えば、冠動脈ケアユニットベッド２）から移動したことを示す。移動メッセージ３１２の特定のフィールド（例えば、「ＨＣ１０‐ＣＣＵ＾ＣＣＵ０２＾ＣＣＵ０２＾ＵＣＨＣ＾１＾＾＾＾＾＾」）は、簡略化のため、前ロケーションＩＤ３０４に対応するものとして示されており、いくつかの実装では、フィールドの１又は複数の部分、移動メッセージ３１２の複数のフィールド、移動メッセージ３１２の複数のフィールドの１又は複数の部分、又はそれらの組み合わせは、前ロケーションＩＤ３０４に対応する。特定の例では、フィールドの特定の部分（例えば、「ＣＣＵ０２」）は前ロケーションＩＤ３０４に対応する。代替例では、ヘルスケア施設に同じ名前の複数の病院ベッドが含まれる場合がある（例えば、「ＣＣＵ０２」）。この例では、特定の病院ベッドは、特定の病院ベッドのロケーション（例えば、部屋、建物、階、ユニット、セクション、施設、又はそれらの組み合わせ）を示す追加情報と組み合わせたフィールドの一部（例えば、「ＣＣＵ０２」）によって一意に識別される。追加情報は、移動メッセージ３１２のフィールドの１又は複数の追加部分、移動メッセージ３１２の１又は複数の追加フィールド、又はそれらの組み合わせによって示される。
【００６１】
[0067]移動メッセージ３１２は、割当てロケーションＩＤ３０８（例えば、「ＳＣ３Ａ‐ＩＣＵ＾ＰＴＵ０５＾ＰＴＵ０５＾ＵＣＬＪ＾＾＾＾＾＾＾」）を示す。割当てロケーションＩＤ３０８の値（例えば、「ＳＣ３Ａ‐ＩＣＵ＾ＰＴＵ０５＾ＰＴＵ０５＾ＵＣＬＪ＾＾＾＾＾＾＾」）は、患者１０３が、対応する第２ロケーション（例えば、患者治療ユニットの部屋番号５）に移動したことを示す。移動メッセージ３１２の特定のフィールド（例えば、「ＳＣ３Ａ‐ＩＣＵ＾ＰＴＵ０５＾ＰＴＵ０５＾ＵＣＬＪ＾＾＾＾＾＾＾」）は、簡略化のため、割当てロケーションＩＤ３０８に対応するものとして示されており、いくつかの実装では、フィールドの１又は複数の部分、移動メッセージ３１２の複数のフィールド、移動メッセージ３１２の複数のフィールドの１又は複数の部分、又はそれらの組み合わせは、割当てロケーションＩＤ３０８に対応する。
【００６２】
[0068]特定の態様では、移動メッセージ３１２は、第１メッセージ１１２に対応する。ヘルスケアリスナ１２０は、移動メッセージ３１２に基づいて第２メッセージ１１４を生成する。例えば、第２メッセージ１１４は、メッセージタイプ２０２、患者ＩＤ２０６、前ロケーションＩＤ３０４、及び割当てロケーションＩＤ３０８を含む。前ロケーションＩＤ３０４又は割当てロケーションＩＤ３０８は、ロケーションＩＤ２０４に対応してもよい。
【００６３】
[0069]図２に示すように、モバイルデバイスマネージャ２３４は、第２メッセージ１１４に基づいて、患者１０３が前ロケーションＩＤ３０４（例えば、ロケーションＩＤ２０４）に対応する第１ロケーションには、もはや割当てられておらず、割当てロケーションＩＤ３０８に対応する第２ロケーションに割当てられたことを決定する。モバイルデバイスマネージャ２３４は、以前患者１０３に割当てられていた第１モバイルデバイスを識別してもよい。例えば、モバイルデバイスマネージャ２３４は、メモリ２３２のデータが、患者ＩＤ２０６が第１モバイルデバイスのデバイスＩＤに関連付けられていることを示すとの決定に応答して、第１デバイスが以前患者１０３に割当てられていたと決定する。図２に示すように、モバイルデバイスマネージャ２３４は、ロケーション・デバイス間マッピングデータ２１０に基づいて、第２ロケーションに割当てられた第２モバイルデバイスを識別する。
【００６４】
[0070]特定の態様では、第１モバイルデバイスは第２モバイルデバイスと同じである。例えば、第１モバイルデバイスは、第１ロケーションから第２ロケーションへの患者１０３の移動と同時に、第１ロケーションから第２ロケーションに再割当てされる。モバイルデバイスマネージャ２３４は、第１デバイスが第２デバイスと同じであるとの決定に応答して、リセットコマンド１３５、データ１３３、又は両方をデバイス（例えば、第１デバイスと第２デバイス）に送信することを控える（ｒｅｆｒａｉｎｓ）。
【００６５】
[0071]特定の態様では、第１モバイルデバイスは第２モバイルデバイスと異なる。この態様では、図２に示すように、モバイルデバイスマネージャ２３４は、患者１０３が第１ロケーションに、もはや割当てられていないとの決定に応答して、リセットコマンド１３５を第１モバイルデバイス（例えば、モバイルデバイス１５０）に送信するか、メモリ２３２から患者１０３と第１モバイルデバイス間の関連付けを解除するか、又は両方を行う。モバイルデバイスマネージャ２３４は、患者１０３が第２ロケーションに割当てられているとの決定に応答して、リセットコマンド１３５を第２モバイルデバイス（例えば、モバイルデバイス１５０）に送信するか、データ１３３を第２モバイルデバイスに送信するか、メモリ２３２に患者１０３と第２モバイルデバイス間の関連付けを追加するか、又はそれらの組み合わせを実行してもよい。従って、移動メッセージ３１２は、モバイルデバイスマネージャ２３４が、自動的に第１モバイルデバイスからユーザ情報を削除するか、第２モバイルデバイスをセットアップするか、又は両方を可能にする。
【００６６】
[0072]図４を参照すると、退出メッセージが示されており、一般的に参照符号４１２で示されている。退出メッセージ４１２は、図１のヘルスケア管理システム１１０、ヘルスケアリスナ１２０、システム１００、又はそれらの組み合わせによって生成されてもよい。退出メッセージ４１２は、図１の第１メッセージ１１２、第２メッセージ１１４又は両方に対応してもよい。退出メッセージ４１２は、ＡＤＴメッセージ仕様に準拠してもよい。特定の態様では、退出メッセージ４１２はＨＬ７フォーマットに準拠している。例えば、退出メッセージ４１２は、ＨＬ７バージョン１フォーマット、ＨＬ７バージョン２フォーマット、ＨＬ７バージョン３フォーマット、ＨＬ７  ＦＨＩＲフォーマット、別のＨＬ７フォーマット、又はそれらの組み合わせに準拠する。
【００６７】
[0073]退出メッセージ４１２は、メッセージタイプ２０２（例えば、「Ａ０３」）を示す。メッセージタイプ２０２の値（例えば、「Ａ０３」）は、退出メッセージ４１２が退出メッセージに対応することを示す。退出メッセージ４１２は、患者ＩＤ２０６（例えば、「３０００１０５５」）を示す。患者ＩＤ２０６の値（例えば、「３０００１０５５」）は、対応する患者１０３が退出したことを示す。退出メッセージ４１２は、ロケーションＩＤ２０４（例えば、「ＨＣ２‐ＳＩＣＵ＾ＩＣＵ１０＾ＩＣＵ１０Ａ＾ＵＣＨＣ＾１０＾＾＾＾＾＾」）を示す。ロケーションＩＤ２０４の値（例えば、「ＨＣ２‐ＳＩＣＵ＾ＩＣＵ１０＾ＩＣＵ１０Ａ＾ＵＣＨＣ＾１０＾＾＾＾＾＾」）は、患者１０３が対応するロケーション（例えば、ケアユニットの部屋番号１０Ａ）から退出したことを示す。退出メッセージ４１２の特定のフィールド（例えば、「ＨＣ２‐ＳＩＣＵ＾ＩＣＵ１０＾ＩＣＵ１０Ａ＾ＵＣＨＣ＾１０＾＾＾＾＾＾」）は、簡略化のため、ロケーションＩＤ２０４に対応するものとして示されており、いくつかの実装では、フィールドの１又は複数の部分、退出メッセージ４１２の複数のフィールド、退出メッセージ４１２の複数のフィールドの１又は複数の部分、又はそれらの組み合わせは、ロケーションＩＤ２０４に対応する。
【００６８】
[0074]特定の態様では、退出メッセージ４１２は、第１メッセージ１１２に対応する。ヘルスケアリスナ１２０は、退出メッセージ４１２に基づいて第２メッセージ１１４を生成する。例えば、第２メッセージ１１４は、メッセージタイプ２０２、患者ＩＤ２０６、及びロケーションＩＤ２０４を含む。
【００６９】
[0075]図２に示すように、モバイルデバイスマネージャ２３４は、第２メッセージ１１４に基づいて、患者１０３がロケーションＩＤ２０４に対応する特定のロケーションに、もはや割当てられていないと決定する。モバイルデバイスマネージャ２３４は、メモリ２３２のデータが、患者ＩＤ２０６がデバイスＩＤ２１４に関連付けられていることを示すとの決定に応答して、モバイルデバイス１５０を識別してもよい。あるいは、図２に示すように、モバイルデバイスマネージャ２３４は、ロケーションＩＤ２０４及びロケーション・デバイス間マッピングデータ２１０に基づいてモバイルデバイス１５０を識別してもよい。
【００７０】
[0076]図２に示すように、モバイルデバイスマネージャ２３４は、患者１０３が特定のロケーションに、もはや割当てられていないとの決定に応答して、リセットコマンド１３５をモバイルデバイス１５０に送信するか、メモリ２３２から患者１０３とモバイルデバイス１５０との間の関連付けを解除するか、又は両方を行ってもよい。従って、退出メッセージ４１２は、モバイルデバイスマネージャ２３４が、モバイルデバイス１５０からユーザ情報（例えば、図１のデータ１３３）を自動的に削除することを可能にする。
【００７１】
[0077]図５を参照すると、モバイルデバイス管理の方法が示されており、一般的に参照符号５００で示されている。方法５００は、図１のＭＤＭサーバ１３０、システム１００、図２のモバイルデバイスマネージャ２３４、システム２００、又はそれらの組み合わせによって実行されてもよい。
【００７２】
[0078]方法５００は、５０２において、モバイルデバイス管理（ＭＤＭ）サーバで、ヘルスケア施設におけるロケーションを示すメッセージを受信することを含む。例えば、図１のＭＤＭサーバは、図２のロケーションＩＤ２０４を含む第２メッセージ１１４を受信する。図２に示すように、ロケーションＩＤ２０４は、ヘルスケア施設におけるロケーションを示してもよい。
【００７３】
[0079]方法５００は、５０４において、ＭＤＭサーバで、ロケーションに割当てられたモバイルデバイスを識別することも含む。例えば、ＭＤＭサーバ１３０は、図２にさらに示すように、ロケーションＩＤ２０４に対応するロケーションに割当てられたモバイルデバイス１５０を識別する。
【００７４】
[0080]方法５００は、５０６において、ＭＤＭサーバからモバイルデバイスにリモートリセットコマンドを送信することをさらに含む。例えば、図２に示すように、モバイルデバイスマネージャ２３４は、リセットコマンド１３５（例えば、リモートリセットコマンド）をＭＤＭサーバ１３０からモバイルデバイス１５０に送信する。
【００７５】
[0081]従って、方法５００は、ＭＤＭサーバ１３０が、第２メッセージ１１４の受信に応答して、リセットコマンド１３５をモバイルデバイス１５０に自動的に送信することを可能にする。モバイルデバイス１５０は、リセットコマンド１３５の受信に応答して、モバイルデバイス１５０に記憶された個人識別可能ユーザ情報を削除してもよい。従って、ＭＤＭサーバ１３０は、患者１０３がモバイルデバイス１５０の前ユーザに関連付けられた機密情報にアクセスする可能性を低減する（例えば、排除する）。
【００７６】
[0082]図６を参照すると、モバイルデバイス管理の方法が示されており、一般的に参照符号６００で示されている。方法６００は、図１のヘルスケアリスナ１２０、ＭＤＭサーバ１３０、システム１００、図２のモバイルデバイスマネージャ２３４、システム２００、又はそれらの組み合わせによって実行されてもよい。
【００７７】
[0083]方法６００は、６０２において、患者識別子を含むメッセージを受信することを含む。例えば、ヘルスケアリスナ１２０は、患者ＩＤ２０６を含む第１メッセージ１１２を受信する。図２にさらに示すように、第１メッセージ１１２は、ヘルスケア施設におけるロケーションを示すロケーションＩＤ２０４を含む。別の例として、モバイルデバイスマネージャ２３４は、患者ＩＤ２０６を含む第２メッセージ１１４を受信する。図２にさらに示すように、第２メッセージ１１４は、ヘルスケア施設におけるロケーションを示すロケーションＩＤ２０４を含む。
【００７８】
[0084]方法６００は、６０４において、ロケーションに割当てられたモバイルデバイスを識別することも含む。例えば、図２に示すように、モバイルデバイスマネージャ２３４は、ロケーションＩＤ２０４に対応するロケーションに割当てられたモバイルデバイス１５０を識別する。
【００７９】
[0085]方法６００は、６０６において、モバイルデバイスへの患者識別子に関連付けられたデータの提供を開始することをさらに含む。例えば、ヘルスケアリスナ１２０は、ＭＤＭサーバ１３０からモバイルデバイス１５０への患者ＩＤ２０６に関連付けられたデータ１３３の提供を開始するために、ＭＤＭサーバ１３０に第２メッセージ１１４を送信する。別の例として、モバイルデバイスマネージャ２３４は、通知要求１２４をプッシュ通知サービス１４０に送信するか、データ１３３をモバイルデバイス１５０に送信するか、又は両方を実行することにより、モバイルデバイス１５０へのデータ１３３の提供を開始する。
【００８０】
[0086]従って、方法６００は、ＭＤＭサーバ１３０が、第２メッセージ１１４の受信に応答して、患者１０３に関連付けられたデータ１３３をモバイルデバイス１５０に自動的に提供することを可能にする。従って、ＭＤＭサーバ１３０は、患者１０３による使用のためにモバイルデバイス１５０を自動的にセットアップ（例えば、構成）する。
【００８１】
[0087]図７を参照すると、モバイルデバイス管理の方法が示されており、一般的に参照符号７００で示されている。方法７００は、モバイルデバイス１５０、図１のシステム１００、図２のシステム２００、又はそれらの組み合わせによって実行されてもよい。
【００８２】
[0088]方法７００は、７０２において、モバイルデバイスで、ヘルスケア施設におけるロケーションであって、モバイルデバイスに割当てられたロケーションを示すメッセージに関連するリセットコマンドを受信することを含む。例えば、図１のモバイルデバイス１５０は、リセットコマンド１３５を受信する。リセットコマンド１３５は、第１メッセージ１１２、第２メッセージ１１４、又は両方に関連付けられる。図２に示すように、第１メッセージ１１２、第２メッセージ１１４、又は両方は、ヘルスケア施設におけるロケーションを示すロケーションＩＤ２０４を含む。
【００８３】
[0089]方法７００は、７０４において、モバイルデバイスに記憶された、患者に関連付けられた個人識別情報、患者に関連付けられた保護健康情報、又は両方を削除することも含む。例えば、図１のモバイルデバイス１５０は、モバイルデバイス１５０に記憶されたデータ１３３を削除する。データ１３３は、患者記録２２２、医療情報２２４、アプリケーションデータ２２６、構成設定２２８、又はそれらの組み合わせを含んでもよい。患者記録２２２、医療情報２２４、アプリケーションデータ２２６、構成設定２２８、又はそれらの組み合わせは、患者１０３に関連付けられた個人識別情報、患者１０３に関連付けられた保護健康情報、又は両方に対応する。
【００８４】
[0090]従って、方法７００は、モバイルデバイス１５０が、患者１０３に関連付けられた個人識別情報、患者１０３に関連付けられた保護健康情報、又は両方を削除することを可能にする。従って、モバイルデバイス１５０は、モバイルデバイス１５０の次のユーザによって患者１０３の機密情報にアクセスされる可能性を低減する（例えば、排除する）。
【００８５】
[0091]図１〜図７のうちの１又は複数は、本開示の教示によるシステム、デバイス、及び／又は方法を例示し得るが、本開示は、これらの例示されたシステム、デバイス、及び／又は方法に限定されない。本開示の態様は、メモリ、プロセッサ、及びオンチップ回路を含む集積回路を含む任意のデバイスで適切に適用されてもよい。
【００８６】
[0092]ここで例示又は説明された図１〜図７のいずれかの１又は複数の機能又は構成要素は、その他の図１〜図７の１又は複数の他の部分と組み合わせてもよい。従って、ここで説明される態様はどれも限定として解釈されるべきではなく、本開示の態様は、本開示の教示から逸脱することなく適切に組み合わせることができる。
【００８７】
[0093]当業者であれば、ここに開示された態様に関連して説明された様々な例示的な論理ブロック、構成、モジュール、回路、およびアルゴリズムステップは、電子ハードウェア、プロセッサにより実行されるコンピュータソフトウェア、又は両方の組み合わせとして実装されうることをさらに理解するであろう。様々な例示的なコンポーネント、ブロック、構成、モジュール、回路、及びステップが、それらの機能に関して一般的に上記のように説明された。そのような機能がハードウェア又はプロセッサ実行可能命令として実装されるかは、特定のアプリケーションとシステム全体に課される設計上の制約に依存する。当業者は、各特定のアプリケーションに関して様々な方法で、説明された機能を実装し得るが、そのような実装の決定は、本開示の範囲からの逸脱を引き起こすと解釈されるべきでない。
【００８８】
[0094]ここで開示される態様に関連して説明される方法のステップ又はアルゴリズムは、直接的にハードウェアにおいて、プロセッサによって実行されるソフトウェアモジュールにおいて、又はそれら２つの組み合わせにおいて、具現化され得る。ソフトウェアモジュールは、ランダムアクセスメモリ（ＲＡＭ）、フラッシュメモリ、読み取り専用メモリ（ＲＯＭ）、プログラム可能な読み取り専用メモリ（ＰＲＯＭ）、消去可能なプログラム可能な読み取り専用メモリ（ＥＰＲＯＭ）、電気的に消去可能なプログラム可能な読み取り専用メモリ（ＥＥＰＲＯＭ）（登録商標）、レジスタ、ハードディスク、リムーバブルディスク、コンパクトディスク読み取り専用メモリ（ＣＤ−ＲＯＭ）、又は本技術分野で知られている任意の他の形式の非一時的記憶媒体に存在し得る。例示的な記憶媒体（例えば、コンピュータ可読記憶装置）は、プロセッサが記憶媒体から情報を読み取り、記憶媒体に情報を書き込むことができるように、プロセッサに結合される。代替においては、記憶媒体はプロセッサに統合され得る。プロセッサ及び記憶媒体は、特定用途向け集積回路（ＡＳＩＣ）に存在してもよい。ＡＳＩＣは、コンピューティングデバイス又はユーザ端末に存在してもよい。あるいは、プロセッサ及び記憶媒体は、コンピューティングデバイス又はユーザ端末内のディスクリートコンポーネントとして存在してもよい。記憶装置は信号ではない。
【００８９】
[0095]開示された態様の上記説明は、当業者が、本開示の態様を製造又は使用を可能にするように提供される。これらの態様に対する様々な変更は、当業者にとって容易に明らかであり、ここに定義された一般的な原理は、本開示の範囲から逸脱することなく、他の態様にも適用され得る。従って、本開示は、ここに示された態様に限定されるようには意図されず、特許請求の範囲により規定されるように原理および新規な特徴と一致する最も広い範囲を与えられることとなる。
【図１】
2020519982.tif 000003
【図２】
2020519982.tif 000004
【図３】
2020519982.tif 000005
【図４】
2020519982.tif 000006
【図５】
2020519982.tif 000007
【図６】
2020519982.tif 000008
【図７】
2020519982.tif 000009
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
モバイルデバイス管理（ＭＤＭ）サーバにおいて、ヘルスケア施設におけるロケーションに割り当てられたモバイルデバイスを示すロケーション・デバイス間マッピングデータを記憶することと、ここにおいて、前記ロケーション・デバイス間マッピングデータは、第１モバイルデバイスが前記ヘルスケア施設における第１ロケーションに割り当てられたこと及び、第２モバイルデバイスが前記ヘルスケア施設における第２ロケーションに割り当てられたことを示し、ここにおいて、前記第１ロケーションは前記第２ロケーションとは異なり、
前記ＭＤＭサーバにおいて、患者識別子と前記第１ロケーションを示すユーザ入力の受信を示すメッセージを受信することと、
前記ロケーション・デバイス間マッピングデータに基づいて、前記第１ロケーションに割当てられた前記第１モバイルデバイスを識別することと、
前記ＭＤＭサーバから前記第１モバイルデバイスにリモートリセットコマンドを送信することと、
前記リモートリセットコマンドの前記第１モバイルデバイスへの送信に続き、前記患者識別子に関連付けられたデータを前記第１モバイルデバイスに送信することと、
を備える方法。
【請求項２】
前記リモートリセットコマンドは、患者に関連付けられた個人識別情報、前記患者に関連付けられた保護健康情報、又は両方が前記第１モバイルデバイスから削除されることを示す、請求項１に記載の方法。
【請求項３】
前記リモートリセットコマンドは、ファクトリーリセットコマンドを含む、請求項１に記載の方法。
【請求項４】
プッシュ通知サービスから前記第１モバイルデバイスへのプッシュ通知の送信を開始するために、前記ＭＤＭサーバから前記プッシュ通知サービスへ通知要求を送信することと、
前記ＭＤＭサーバにおいて、前記プッシュ通知に応答する前記第１モバイルデバイスからの第２メッセージを受信することと、をさらに備え、
ここにおいて、前記リモートリセットコマンドは、前記第２メッセージの受信に応答して、前記ＭＤＭサーバから前記第１モバイルデバイスに送信される、請求項１に記載の方法。
【請求項５】
前記患者識別子に関連付けられた患者記録にアクセスすることと、
前記患者記録に基づいてマニフェストファイルを選択することと、ここにおいて、前記マニフェストファイルは、少なくとも１つのアプリケーションを示し、前記データは、前記マニフェストファイルを示し、前記第１モバイルデバイスが前記少なくとも１つのアプリケーションにアクセス可能にするために、前記第１モバイルデバイスに送信される、をさらに備える、請求項１に記載の方法。
【請求項６】
前記メッセージは、患者が前記第１ロケーションに割り当てられたことを示す入院メッセージを含み、前記リモートリセットコマンドは、前記第１ロケーションに以前割り当てられていた第２患者に関連付けられた個人識別情報、前記第２患者に関連付けられた保護健康情報、又は両方が前記第１モバイルデバイスから削除されることを示す、請求項１に記載の方法。
【請求項７】
前記患者識別子に基づいて、患者記録、構成設定、医療情報、又はアプリケーションデータのうちの少なくとも１つを選択することをさらに備え、ここにおいて、前記第１モバイルデバイスに送信される前記データは、前記患者記録、前記構成設定、前記医療情報、又は前記アプリケーションデータのうちの前記少なくとも１つを含む、請求項１に記載の方法。
【請求項８】
前記メッセージは、他のロケーションに以前割当てられていた患者が前記第１ロケーションに移動したことを示す移動メッセージを含む、請求項１に記載の方法。
【請求項９】
前記メッセージは、健康レベル７（ＨＬ７）フォーマットに準拠する、請求項１に記載の方法。
【請求項１０】
プロセッサにより実行される時、前記プロセッサに、
ヘルスケア施設におけるロケーションに割り当てられたモバイルデバイスを示すロケーション・デバイス間マッピングデータを記憶することと、ここにおいて、前記ロケーション・デバイス間マッピングデータは、第１モバイルデバイスが前記ヘルスケア施設における第１ロケーションに割り当てられたこと及び、第２モバイルデバイスが前記ヘルスケア施設における第２ロケーションに割り当てられたことを示し、ここにおいて、前記第１ロケーションは前記第２ロケーションとは異なり、
患者識別子と前記第１ロケーションを示すユーザ入力の受信を示すメッセージを受信することと、
前記ロケーション・デバイス間マッピングデータに基づいて、前記第１ロケーションに割当てられた第１モバイルデバイスを識別することと、
前記患者識別子に関連付けられたデータの前記第１モバイルデバイスへの提供を開始することと、
を備える動作を行わせる命令を記憶するコンピュータ可読記憶装置。
【請求項１１】
前記患者識別子に関連付けられた前記データは、患者記録、医療情報、アプリケーションデータ、構成設定、又はそれらの組み合わせを含む、請求項１０に記載のコンピュータ可読記憶装置。
【請求項１２】
前記メッセージは、前記患者識別子に関連付けられた患者が前記ヘルスケア施設に入院したことを示す、請求項１０に記載のコンピュータ可読記憶装置。
【請求項１３】
前記動作は、
前記データの提供開始に続いて、前記第１ロケーションを示す第２メッセージを受信することと、
前記第２メッセージの受信に応答して、前記第１モバイルデバイスから前記患者識別子に関連付けられた前記データの削除を開始するために前記第１モバイルデバイスにリモートリセットコマンドを送信することと、
をさらに含む、請求項１０に記載のコンピュータ可読記憶装置。
【請求項１４】
前記第２メッセージは、患者が前記ヘルスケア施設から退出したこと、又は、前記第１ロケーションから移動したことを示す、請求項１３に記載のコンピュータ可読記憶装置。
【請求項１５】
ヘルスケアリスナデバイスであって、
患者識別子とヘルスケア施設における第１ロケーションを示すユーザ入力の受信を示す第１メッセージを受信し、
前記患者識別子と前記第１ロケーションを示す第２メッセージをモバイルデバイス管理（ＭＤＭ）サーバに送信するように構成されるヘルスケアリスナデバイスと、
前記ＭＤＭサーバであって、
前記ヘルスケア施設におけるロケーションに割り当てられたモバイルデバイスを示すロケーション・デバイス間マッピングデータを記憶することと、前記ロケーションは前記第１ロケーションを含み、ここにおいて、前記ロケーション・デバイス間マッピングデータは、第１モバイルデバイスが前記ヘルスケア施設における前記第１ロケーションに割り当てられたことと、第２モバイルデバイスが前記ヘルスケア施設における第２ロケーションに割り当てられたこととを示し、ここにおいて、前記第１ロケーションは前記第２ロケーションとは異なり、
前記ヘルスケアリスナデバイスからの前記第２メッセージの受信に応答して、
前記ロケーション・デバイス間マッピングデータに基づいて、前記第１ロケーションに割当てられた前記第１モバイルデバイスを識別し、
前記第１モバイルデバイスにリモートリセットコマンドを送信するように構成される前記ＭＤＭサーバと、
を備えるコンピュータシステム。
【請求項１６】
前記ＭＤＭサーバは、前記ヘルスケアリスナデバイスから前記第２メッセージを受信することに応答して、
前記第１モバイルデバイスへのプッシュ通知の送信を開始するために、プッシュ通知サービスに通知要求を送信し、
前記プッシュ通知に応答して前記第１モバイルデバイスからメッセージを受信するようにさらに構成され、
ここにおいて、前記メッセージの受信に応答して、前記リモートリセットコマンドが送信される、請求項１５に記載のコンピュータシステム。
【請求項１７】
前記ＭＤＭサーバは、前記ヘルスケアリスナデバイスから前記第２メッセージを受信することに応答して、
前記第１モバイルデバイスへのプッシュ通知の送信を開始するために、プッシュ通知サービスに通知要求を送信し、
前記プッシュ通知サービスへ前記通知要求を送信してから特定の期間内に前記第１モバイルデバイスからメッセージが受信されなかったとの決定に応答して、アラートを生成するようにさらに構成される、請求項１５に記載のコンピュータシステム。
【請求項１８】
前記第１メッセージは、健康レベル７（ＨＬ７）フォーマットに準拠する、請求項１５に記載のコンピュータシステム。
【請求項１９】
前記リモートリセットコマンドは、患者に関連付けられた個人識別情報、前記患者に関連付けられた保護健康情報、又は両方が前記第１モバイルデバイスから削除されることを示す、請求項１５に記載のコンピュータシステム。
【請求項２０】
前記第１メッセージは、患者が前記第１ロケーションから移動したことを示す、請求項１５に記載のコンピュータシステム。
【手続補正２】
【補正対象書類名】明細書
【補正対象項目名】００８９
【補正方法】変更
【補正の内容】
【００８９】
[0095]開示された態様の上記説明は、当業者が、本開示の態様を製造又は使用を可能にするように提供される。これらの態様に対する様々な変更は、当業者にとって容易に明らかであり、ここに定義された一般的な原理は、本開示の範囲から逸脱することなく、他の態様にも適用され得る。従って、本開示は、ここに示された態様に限定されるようには意図されず、特許請求の範囲により規定されるように原理および新規な特徴と一致する最も広い範囲を与えられることとなる。
以下に、本願出願の当初の特許請求の範囲に記載された発明を付記する。
［１］  モバイルデバイス管理（ＭＤＭ）サーバにおいて、ヘルスケア施設におけるロケーションを示すメッセージを受信することと、
前記ＭＤＭサーバにおいて、前記ロケーションに割当てられたモバイルデバイスを識別することと、
前記ＭＤＭサーバから前記モバイルデバイスにリモートリセットコマンドを送信することと、
を備える方法。
［２］  前記リモートリセットコマンドは、患者に関連付けられた個人識別情報、前記患者に関連付けられた保護健康情報、又は両方が前記モバイルデバイスから削除されることを示す、［１］に記載の方法。
［３］  前記リモートリセットコマンドは、ファクトリーリセットコマンドを含む、［１］に記載の方法。
［４］  プッシュ通知サービスから前記モバイルデバイスへのプッシュ通知の送信を開始するために、前記ＭＤＭサーバから前記プッシュ通知サービスへ通知要求を送信することと、
前記ＭＤＭサーバにおいて、前記プッシュ通知に応答する前記モバイルデバイスからのメッセージを受信することと、をさらに備え、
ここにおいて、前記リモートリセットコマンドは、前記メッセージの受信に応答して、前記ＭＤＭサーバから前記モバイルデバイスに送信される、［１］に記載の方法。
［５］  前記ロケーションは、病室、病院ベッド、又は両方を含む、［１］に記載の方法。
［６］  前記メッセージは、移動メッセージ又は退出メッセージを含み、前記リモートリセットコマンドは、患者に関連付けられた個人識別情報、前記患者に関連付けられた保護健康情報、又は両方が前記モバイルデバイスから削除されることを示す、［１］に記載の方法。
［７］  前記メッセージは、前記ロケーションに割当てられた患者が前記ヘルスケア施設から退出したことを示す退出メッセージを含む、［１］に記載の方法。
［８］  前記メッセージは、前記ロケーションに割当てられた患者が前記ロケーションから移動したことを示す移動メッセージを含む、［１］に記載の方法。
［９］  前記メッセージは、健康レベル７（ＨＬ７）フォーマットに準拠する、［１］に記載の方法。
［１０］  プロセッサにより実行される時、前記プロセッサに、
患者識別子を含むメッセージを受信することと、前記メッセージはヘルスケア施設におけるロケーションを示し、
前記ロケーションに割当てられたモバイルデバイスを識別することと、
前記患者識別子に関連付けられたデータの前記モバイルデバイスへの提供を開始することと、
を備える動作を行わせる命令を記憶するコンピュータ可読記憶装置。
［１１］  前記データは、患者記録、医療情報、アプリケーションデータ、構成設定、又はそれらの組み合わせを含む、［１０］に記載のコンピュータ可読記憶装置。
［１２］  前記メッセージは、前記患者識別子に関連付けられた患者が前記ヘルスケア施設に入院したことを示す、［１０］に記載のコンピュータ可読記憶装置。
［１３］  前記動作は、
前記データの提供開始に続いて、前記ロケーションを示す第２メッセージを受信することと、
前記第２メッセージの受信に応答して、前記モバイルデバイスから前記患者識別子に関連付けられた前記データの削除を開始するために前記モバイルデバイスにリモートリセットコマンドを送信することと、
をさらに含む、［１０］に記載のコンピュータ可読記憶装置。
［１４］  前記第２メッセージは、患者が前記ヘルスケア施設から退出したこと、又は、前記ロケーションから移動したことを示す、［１３］に記載のコンピュータ可読記憶装置。
［１５］  ヘルスケアリスナデバイスであって、
ヘルスケア施設におけるロケーションを示す第１メッセージを受信し、
前記ロケーションを示す第２メッセージをモバイルデバイス管理（ＭＤＭ）サーバに送信するように構成されるヘルスケアリスナデバイスと、
前記ＭＤＭサーバであって、
前記ヘルスケアリスナデバイスからの前記第２メッセージの受信に応答して、
前記ロケーションに割当てられたモバイルデバイスを識別し、
前記モバイルデバイスにリモートリセットコマンドを送信するように構成される前記ＭＤＭサーバと、
を備えるコンピュータシステム。
［１６］  前記ＭＤＭサーバは、前記ヘルスケアリスナデバイスから前記第２メッセージを受信することに応答して、
前記モバイルデバイスへのプッシュ通知の送信を開始するために、プッシュ通知サービスに通知要求を送信し、
前記プッシュ通知に応答して前記モバイルデバイスからメッセージを受信するようにさらに構成され、
ここにおいて、前記メッセージの受信に応答して、前記リモートリセットコマンドが送信される、［１５］に記載のコンピュータシステム。
［１７］  前記ＭＤＭサーバは、前記ヘルスケアリスナデバイスから前記第２メッセージを受信することに応答して、
前記モバイルデバイスへのプッシュ通知の送信を開始するために、プッシュ通知サービスに通知要求を送信し、
前記プッシュ通知サービスへ前記通知要求を送信してから特定の期間内に前記モバイルデバイスからメッセージが受信されなかったとの決定に応答して、アラートを生成するようにさらに構成される、［１５］に記載のコンピュータシステム。
［１８］  前記第１メッセージは、健康レベル７（ＨＬ７）フォーマットに準拠する、［１５］に記載のコンピュータシステム。
［１９］  前記リモートリセットコマンドは、患者に関連付けられた個人識別情報、前記患者に関連付けられた保護健康情報、又は両方が前記モバイルデバイスから削除されることを示す、［１５］に記載のコンピュータシステム。
［２０］  前記第１メッセージは、患者が前記ロケーションから移動したことを示す、［１５］に記載のコンピュータシステム。
【国際調査報告】
2020519982.tif 000010
2020519982.tif 000011